(57)【要約】【課題】構造が簡単で、製造が易しく、且つ伸縮自在な入力ペンを提供する。【解決手段】本発明に係る入力ペンは、中空のスリーブと、前記スリーブ内に移動可能に収容されている筆芯部と、前記スリーブに固定されている固定部品と、前記固定部品にスライド可能に連接され且つ前記筆芯部に固定されているスライドロッドと、を備えてなる。前記スライドロッドにはスライド溝が開設され、前記スライド溝の両端にはそれぞれロック穴が形成されている。前記固定部品にはスライドピンが装着され、前記スライドピンを前記スライド溝内にスライド可能に設置することにより、前記筆芯部の前記スリーブに対する伸縮を実現する。前記スライドピンを前記ロック穴に係止することにより、前記スライドロッドを前記固定部品に相対的に静止させる。【選択図】図１
2011150679.tif 000002
【特許請求の範囲】
【請求項１】
中空のスリーブと、
前記スリーブ内に移動可能に収容されている筆芯部と、
前記スリーブに固定されている固定部品と、
前記固定部品にスライド可能に連接され且つ前記筆芯部に固定されているスライドロッドと、
を備えてなる入力ペンであって、
前記スライドロッドにはスライド溝が設けられ、前記スライド溝の両端にはそれぞれロック穴が形成され、
前記固定部品にはスライドピンが装着され、前記スライドピンを前記スライド溝内にスライド可能に設置することにより、前記筆芯部の前記スリーブに対する伸縮を実現し、
前記スライドピンを前記ロック穴に係止することにより、前記スライドロッドを前記固定部品に相対的に静止させることを特徴とする入力ペン。
【請求項２】
前記スライドロッドには、係止部が突設され、前記筆芯部の第二側壁には前記係止部と協働する開口が開設されており、
前記係止部を前記開口に係合させることにより、前記スライドロッドは前記筆芯部内に固定されることを特徴とする請求項１に記載の入力ペン。
【請求項３】
前記スライド溝とロック穴との間には、両者を連通する狭いチャンネルが開設され、
前記ロック穴の直径は前記スライドピンの直径に相当し、前記狭いチャンネルの幅は前記スライドピンの直径より小さいことを特徴とする請求項１に記載の入力ペン。
【請求項４】
前記２つのロック穴の外側には、それぞれスリットが延伸しており、前記スリットに隣接して方形凹部が形成されており、前記方形凹部は、前記ロック穴を形成する側壁が開けられることに有利であるようにすることを特徴とする請求項３に記載の入力ペン。
【請求項５】
前記固定部品には、貫通孔が開設されており、前記スリーブには、位置決め穴が開設されており、
前記貫通孔と位置決め穴とに位置決めピンを挿入することにより、前記固定部品と前記スリーブとが一体に固定されることを特徴とする請求項１に記載の入力ペン。
【請求項６】
前記入力ペンは、内壁に突起部が設置されているキャップをさらに含み、前記筆芯部には係止溝が設置されており、
前記突起部は前記係止溝に着脱可能に係合されることを特徴とする請求項１に記載の入力ペン。
【請求項７】
前記キャップの突起部と筆芯部の係止溝との係止力は、前記スライドピンと前記狭いチャンネル３２６との抵抗力より大きいことを特徴とする請求項１に記載の入力ペン。
【発明の詳細な説明】
【技術分野】
【０００１】
本発明は、入力ペンに関し、特に携帯電子装置に用いられる入力ペンに関するものである。
【背景技術】
【０００２】
タッチパネル技術の発展に伴い、現在市販されている携帯電話、個人用携帯情報端末（ＰＤＡ）及びパソコン等の携帯式電子装置は殆んどタッチスクリーンを採用する。これらの携帯式電子装置は、一般的にタッチペンを入力手段とする。
【０００３】
従来のタッチペンは、通常携帯式電子装置の内部に内蔵されており、使用する時、前記タッチペンを前記携帯式電子装置の蓋体から抜き出す。しかし、携帯式電子装置の蓋体の長さが短いため、それに挿入されるタッチペンも短く設計しなければならない。従って、タッチペンの長さは制限されて、利用者に不便を与える。以上の問題を解決するために、伸縮できるタッチペンが設計されているが、これらのタッチペンは、構造が複雑で、製造し難い。
【発明の概要】
【発明が解決しようとする課題】
【０００４】
以上の問題点に鑑みて、本発明は、構造が簡単で、製造し易く、且つ伸縮自在な入力ペンを提供することを目的とする。
【課題を解決するための手段】
【０００５】
前記問題を解決するために、本発明に係る入力ペンは、中空のスリーブと、前記スリーブ内に移動可能に収容されている筆芯部と、前記スリーブに固定されている固定部品と、前記固定部品にスライド可能に連接され且つ前記筆芯部に固定されているスライドロッドと、を備えてなる。前記スライドロッドにはスライド溝が開設され、前記スライド溝の両端にはそれぞれロック穴が形成されている。前記固定部品にはスライドピンが装着され、前記スライドピンを前記スライド溝内にスライド可能に設置することにより、前記筆芯部の前記スリーブに対する伸縮を実現する。前記スライドピンを前記ロック穴に係止することにより、前記スライドロッドを前記固定部品に相対的に静止させる。
【発明の効果】
【０００６】
本発明の入力ペンの各部品の構造が簡単であるため、入力ペンは容易に製造されることができる。また、スライドロッドは固定部品にスライド可能に設置され、筆芯部は前記スライドロッドに固定され、スリーブは前記固定部品に固定されるため、前記筆芯部は前記スリーブに対して長く伸長されることができる。従って、本発明の入力ペンは、伸縮自在で、操作が簡単であるという利点もある。
【図面の簡単な説明】
【０００７】
【図１】本発明に係る入力ペンの分解図である。
【図２】図１に示した入力ペンのスライドロッドの拡大図である。
【図３】図１に示した入力ペンの組立て図である。
【図４】図３に示した入力ペンの斜視断面図である。
【図５】図３のＶ−Ｖ線に沿う入力ペンの断面図である。
【図６】図３に示した入力ペンの伸長された状態を示す図である。
【図７】図６のＶＩＩ−ＶＩＩ線に沿う入力ペンの断面図である。
【発明を実施するための形態】
【０００８】
本発明の入力ペンは、携帯電話、個人用携帯情報端末（ＰＤＡ）及びパソコン等のような携帯電子装置に適用する。
【０００９】
図１に示したように、本発明の入力ペン１００は、スリーブ１０と、固定部品２０と、スライドロッド３０と、筆芯部４０と、キャップ５０と、スライドピン６０と、位置決めピン７０と、を備える。前記固定部品２０は、前記位置決めピン７０を介して前記スリーブ１０内に固定される。前記スライドロッド３０は、前記スライドピン６０を介して前記固定部品２０上にスライド可能に連結される。前記筆芯部４０は前記スライドロッド３０に固定連結され、前記キャップ５０は、前記筆芯部４０の先端部をカバーする。
【００１０】
前記スリーブ１０は、略方形の管状体であって、その長手軸方向に沿って収容中空部１２が設けられている。前記収容中空部１２は、四つの側壁１２２によって囲まれて形成され、且つ対向する２つの側壁１２２（図１におけるスリーブ１０の上下側壁）には、それぞれ位置決め穴１２２２が設けられている。即ち、前記２つの位置決め穴１２２２は、前記スリーブ１０の一端に近接する箇所の対向する２つの側壁１２２に対称的に設置される。
【００１１】
前記固定部品２０は、固定ロッド２２及び前記固定ロッド２２の一端に連結されるフランジ部２４を含む。前記固定ロッド２２の両端部には、それぞれ１つの固定穴２２２と１つの貫通孔２２４が設けられている。前記貫通孔２２４は、前記フランジ部２４側の前記固定ロッド２２の端部に開設されている。前記固定穴２２２は、前記固定ロッド２２の他端部に開設され、且つ前記スライドピン６０を取り付けることに用いられる。前記位置決めピン７０が前記位置決め穴１２２２と前記貫通孔２２４を貫くことにより、前記スリーブ１０と固定部品２０とを一体に固定する。
【００１２】
図２を参照すると、前記スライドロッド３０は、対向する２つの第一側壁３２及び対向する２つの第二側壁３４を含む。前記２つの第一側壁３２及び２つの第二側壁３４が囲んで通路３６を形成する。前記スライドロッド３０は、ポリフォルムアルデヒド（ＰＯＭ）のような耐摩擦の弾性材料から製作される。
【００１３】
前記スライドロッド３０の各第一側壁３２上には、前記第一側壁の厚さ方向に貫通するスライド溝３２２が開設されている。前記スライドピン６０を前記スライド溝３２２内にスライドするように設置することにより、前記固定部品２０とスライドロッド３０との相対スライドを実現する。前記２つの第一側壁３２の一端部には、それぞれ前記スライドロッド３０と筆芯部４０とを一体に固定するためのロック用凸柱３２３が対称的に設置されている。各スライド溝３２２の両端には、それぞれロック穴３２４が設けられている。前記ロック穴３２４の一側には狭いチャンネル３２６が設けられ、前記ロック穴３２４の他側にはスリット３２８が設けられている。前記ロック穴３２４は、前記スリット３２８と互いに連通する。前記狭いチャンネル３２６を介して、前記スライド溝３２２とロック穴３２４とを連通する。
【００１４】
前記スライド溝３２２は細長い貫通溝であり、その幅は前記スライドピン６０の直径よりやや大きい。前記ロック穴３２４の直径は前記スライドピン６０の直径とほぼ一致し、前記狭いチャンネル３２６の幅は前記スライドピン６０の直径より小さい。これにより、前記スライドピン６０が前記ロック穴３２４内に滑り込んだ後、前記ロック穴３２４内に安定して停留される。前記スリット３２８が存在するため、前記スライドピン６０が前記狭いチャンネル３２６を介して前記ロック穴３２４内に滑り込む際に、前記ロック穴３２４を形成する２つの側壁が広げ易い。前記スライドピン６０は、前記ロック穴３２４内に滑り込んだ後、前記ロック穴３２４の側壁が弾性力により元様に回復して、前記スライドピン６０をしっかりと挟持する。
【００１５】
前記スライドロッド３０の両端部には、それぞれ前記第二側壁３４を貫通する略方形凹部３４２が開設されている。各方形凹部３４２は、前記スリット３２８に隣接して設置されて、前記ロック穴３２４を形成する側壁が開けられることに有利である。前記第二側壁３４における前記ロック用凸柱３２３に隣接する一端には、前記方形凹部３４２に近接し且つ前記筆芯部４０と係合するための係止部３４４が突設されている。
【００１６】
前記筆芯部４０は、主体部４２と、前記主体部４２の端部に連結される筆先部４４と、を含む。前記主体部４２は、前記スライドロッド３０を収納するために前記主体部４２の軸方向に沿って開設されている中空部４２２を有する。前記収容中空部４２２は、対向する２つの第一側壁４２４及び相対する２つの第二側壁４２６によって囲んで形成される。前記筆芯部４０の前記筆先部４４から離れた一端には、前記第一側壁４２４の端縁を切欠した係止用スロット４２４２が開設されている。前記係止用スロット４２４２は、前記スライドロッド３０のロック用凸柱３２３を係合することに用いられる。前記筆芯部４０は、前記筆先部４４から離れた一端に前記第二側壁４２６を貫通して形成されている方形開口４２６２をさらに含む。前記方形開口４２６２は、前記スライドロッド３０の係止部３４４と係合して、前記筆芯部４０を前記スライドロッド３０上に固定させる。前記筆先部４４と前記主体部４２との間には、前記キャップ５０を係合するための略環状の係止溝４４２が開設されている。
【００１７】
前記キャップ５０は、略方形の筒状体であって、内壁には突起部５２が設置されている。前記突起部５２を前記係止溝４４２内に係合することにより、前記キャップ５０を筆芯部４０上に被せる。
【００１８】
以下、図３ないし図５を参照しながら、本発明の入力ペン１００の組立てステップを詳細に説明する。
【００１９】
まず、前記固定部品２０の固定ロッド２２を、前記ロック用凸柱３２３が設置されている前記スライドロッド３０の一端から前記通路３６内に挿入すると共に、前記固定ロッド２２の固定穴２２２と前記スライドロッド３０のスライド溝３２２との位置を合わせてから、前記スライド溝３２２と前記固定穴２２２とを貫通するように前記スライドピン６０を挿入して、前記スライドピン６０の中部を前記固定穴２２２内に固定し、且つ端部を前記スライド溝３２２内にスライド可能に設置する。
【００２０】
次に、前記筆芯部４０を前記スライドロッド３０上に被せてから、さらに前記筆芯部４０を推進して、前記スライドロッド３０のロック用凸柱３２３及び係止部３４４を前記筆芯部４０の係止用スロット４２４２及び方形開口４２６２にそれぞれ係合させる。その後、前記一体に組み立てた固定部品２０、スライドロッド３０及び筆芯部４０を前記スリーブ１０の収容中空部１２内に装着し、且つ前記スリーブ１０の位置決め穴１２２２と固定部品２０の貫通孔２２４との位置を合せてから、前記位置決めピン７０を順次に前記位置決め穴１２２２及び前記貫通孔２２４内に挿入して、前記固定部品２０を前記スリーブ１０内に固定させる。
【００２１】
最後に、前記キャップ５０を前記筆芯部４０の筆先部４４上に被せて、前記キャップ５０の突起部５２を前記環状の係止溝４４２に嵌合させて、前記入力ペン１００の組立てを終了する。
【００２２】
図６及び図７に示したように、前記入力ペン１００を使用する時、前記スリーブ１０に相対して前記キャップ５０を引っ張ると、前記筆芯部４０は連動されて前記スリーブ１０から離れるように移動する。この過程において、前記固定部品２０上に装着されているスライドピン６０は前記スライドロッド３０のスライド溝３２２に沿ってスライドする。前記スライドピン６０は、前記スライド溝３２２末端までスライドしてから、続いて前記狭いチャンネル３２６の抵抗力を克服しながら前記ロック穴３２４内に滑り込んでロックされると、前記筆芯部４０は前記スリーブ１０に相対的に静止する。最後に、もっと大きい力で前記キャップ５０を引っ張って、前記突起部５２を前記筆芯部４０の係止溝４４２から離脱させれば、前記入力ペン１００が完全に伸長されて使用できる。
【００２３】
また、前記キャップ５０を引っ張ることにより筆芯部４０を連動して前記スリーブ１０から引き出すために、前記キャップ５０の突起部５２と前記筆芯部４０の係止溝４４２との係止力を、前記スライドピン６０と前記狭いチャンネル３２６との抵抗力より大きくするのが好ましい。
【００２４】
本発明の入力ペン１００は、ただスリーブ１０、固定部品２０、スライドロッド３０、筆芯部４０及びキャップ５０だけを備え、且つ各部材の構造が簡単であるため、前記入力ペン１００の製造は容易である。また、前記スライドロッド３０は前記固定部品２０にスライド可能に設置され、前記筆芯部４０は前記スライドロッド３０に固定され、前記スリーブ１０は前記固定部品２０に固定されるため、前記筆芯部４０はスリーブ１０に対して長く伸長されることできる。使用する場合には、前記スリーブ１０に相対して前記キャップ５０を引っ張れることだけで、前記入力ペン１００を伸長させることができる。従って、本発明の入力ペン１００は、伸縮自在で、操作が便利であるという利点もある。
【００２５】
以上、本発明の好適な実施例について詳細に説明したが、本発明は前記実施例に限定されるものではなく、本発明の範囲内で種々の変形又は修正が可能であり、該変形又は修正も又、本発明の特許請求の範囲内に含まれるものであることは、いうまでもない。
【符号の説明】
【００２６】
１０      スリーブ
１２      収容中空部
２０      固定部品
２２      固定ロッド
２４      フランジ部
３０      スライドロッド
３２      第一側壁
３４      第二側壁
３６      通路
４０      筆芯部
４２      主体部
４４      筆先部
５０      キャップ
５２      突起部
６０      スライドピン
７０      位置決めピン
１００    入力ペン
１２２    側壁
２２２    固定穴
２２４    貫通孔
３２２    スライド溝
３２３    ロック用凸柱
３２４    ロック穴
３２６    狭いチャンネル
３２８    スリット
３４２    方形凹部
３４４    係止部
４２２    中空部
４２４    第一側壁
４２６    第二側壁
４４２    係止溝
１２２２  位置決め穴
４２４２  係止用スロット
４２６２  方形開口
【図１】
2011150679.tif 000003
【図２】
2011150679.tif 000004
【図３】
2011150679.tif 000005
【図４】
2011150679.tif 000006
【図５】
2011150679.tif 000007
【図６】
2011150679.tif 000008
【図７】
2011150679.tif 000009